【手続補正書】
【提出日】平成18年10月17日(2006.10.17)
【手続補正１】
【補正対象書類名】特許請求の範囲
【補正対象項目名】全文
【補正方法】変更
【補正の内容】
【特許請求の範囲】
【請求項１】
携帯端末に通信網とネットワークを介してコンテンツサーバが配信する有料情報サービスに課金するコンテンツ料金の課金システムであって、
前記携帯端末により前記コンテンツサーバにアクセスするためのサーバアクセス情報と、前記携帯端末から送信することにより当該携帯端末が前記コンテンツサーバから前記有料情報サービスを受けるための認証情報とからなるログイン情報を、代金と引き換えに販売する販売手段を備えていることを特徴とするコンテンツ料金の課金システム。
【請求項２】
前記販売手段と前記コンテンツサーバとは通信回線を介して接続され、
前記販売手段は、前記有料情報サービスを配信する地域を示す配信地域情報を前記コンテンツサーバに送信し、
前記コンテンツサーバは、前記販売手段から前記通信回線を介して受信した前記配信地域情報に示される地域に限定された有料情報サービスを前記携帯端末に配信することを特徴とする請求項１に記載のコンテンツ料金の課金システム。
【請求項３】
前記販売手段と前記コンテンツサーバとは通信回線を介して接続され、
前記販売手段は、前記販売手段によって前記ログイン情報を販売した販売日を前記コンテンツサーバに送信し、
前記コンテンツサーバは、前記販売手段から前記通信回線を介して受信した前記販売日を基に有効期間の間、前記有料情報サービスを前記携帯端末に配信することを特徴とする請求項１または２に記載のコンテンツ料金の課金システム。
【請求項４】
前記有効期間は、前記販売日当日であることを特徴とする請求項３に記載のコンテンツ料金の課金システム。
【請求項５】
前記コンテンツサーバは、前記携帯端末から受信した前記認証情報が前記販売手段によって販売されたものであることを認証する認証手段を備えることを特徴とする請求項１〜４のいずれかに記載のコンテンツ料金の課金システム。
【請求項６】
前記販売手段と前記コンテンツサーバとは通信回線を介して接続され、
前記販売手段は、前記認証情報を生成する認証情報生成手段と、当該認証情報を前記コンテンツサーバに送信する送信手段とを備え、
前記コンテンツサーバは、前記通信回線によって前記販売手段から受信した前記認証情報を記憶する記憶手段を備え、前記認証手段は、前記携帯端末から受信した前記認証情報と、前記記憶手段に記憶されている認証情報とが同じものであるとき、前記携帯端末から受信した前記認証情報が前記販売手段によって販売されたものであることを認証することを特徴とする請求項５に記載のコンテンツ料金の課金システム。
【請求項７】
前記販売手段と前記コンテンツサーバとは通信回線を介して接続され、
前記コンテンツサーバは、前記認証情報を生成する認証情報生成手段と、当該認証情報を前記販売手段に送信する送信手段とを備え、
前記認証手段は、前記コンテンツサーバが前記通信回線を介して前記販売手段に送信した前記認証情報と、前記携帯端末から受信した前記認証情報とが同じものであるとき、前記携帯端末から受信した前記認証情報が前記販売手段によって販売されたものであることを認証することを特徴とする請求項５に記載のコンテンツ料金の課金システム。
【請求項８】
携帯端末に通信網とネットワークを介してコンテンツサーバが配信する有料情報サービスに課金するコンテンツ料金の課金システムであって、
前記携帯端末により前記コンテンツサーバにアクセスするためのサーバアクセス情報と、前記有料情報サービスを配信する地域を示す配信地域情報および販売日を前記携帯端末から送信することにより当該携帯端末が前記コンテンツサーバから前記有料情報サービスを受けるための認証情報に含む複合認証情報とからなるログイン情報を、代金と引き換えに販売する販売手段を備えていることを特徴とするコンテンツ料金の課金システム。
【請求項９】
前記有効期間は、前記販売日当日であることを特徴とする請求項８に記載のコンテンツ料金の課金システム。
【請求項１０】
前記販売手段は、前記ログイン情報をチケットに印字して販売することを特徴とする請求項１〜９のいずれかに記載のコンテンツ料金の課金システム。
【請求項１１】
前記サーバアクセス情報は、前記コンテンツサーバのＵＲＬであることを特徴とする請求項１〜１０のいずれかに記載のコンテンツ料金の課金システム。
【請求項１２】
前記コンテンツサーバは、前記携帯端末から受信した前記認証情報が前記販売手段によって販売されたものであることを認証する認証手段を備えることを特徴とする請求項８〜１１のいずれかに記載のコンテンツ料金の課金システム。
【請求項１３】
前記販売手段は、前記認証情報を生成する認証情報生成手段を備え、
前記コンテンツサーバは、前記販売手段と同じ認証情報生成手段を備え、前記携帯端末から受信した前記認証情報が前記認証情報生成手段によって生成されているとき、前記確認情報は、前記携帯端末から受信した前記認証情報が前記販売手段によって販売されたものであることを認証することを特徴とする請求項１２に記載のコンテンツ料金の課金システム。
【手続補正２】
【補正対象書類名】明細書
【補正対象項目名】００１０
【補正方法】変更
【補正の内容】
【００１０】
上述した課題を解決し、目的を達成するために、本発明の請求項１に係る発明は、携帯端末に通信網とネットワークを介してコンテンツサーバが配信する有料情報サービスに課金するコンテンツ料金の課金システムであって、前記携帯端末により前記コンテンツサーバにアクセスするためのサーバアクセス情報と、前記携帯端末から送信することにより当該携帯端末が前記コンテンツサーバから前記有料情報サービスを受けるための認証情報とからなるログイン情報を、代金と引き換えに販売する販売手段を備えていることを特徴とするコンテンツ料金の課金システムを提供する。
【手続補正３】
【補正対象書類名】明細書
【補正対象項目名】００１１
【補正方法】変更
【補正の内容】
【００１１】
本発明の請求項２に係るコンテンツ料金の課金システムは、上記請求項１において、前記販売手段と前記コンテンツサーバとは通信回線を介して接続され、前記販売手段は、前記有料情報サービスを配信する地域を示す配信地域情報を前記コンテンツサーバに送信し、前記コンテンツサーバは、前記販売手段から前記通信回線を介して受信した前記配信地域情報に示される地域に限定された有料情報サービスを前記携帯端末に配信することを特徴とする。
【手続補正４】
【補正対象書類名】明細書
【補正対象項目名】００１２
【補正方法】変更
【補正の内容】
【００１２】
本発明の請求項３に係るコンテンツ料金の課金システムは、上記請求項１または２において、前記販売手段と前記コンテンツサーバとは通信回線を介して接続され、前記販売手段は、前記販売手段によって前記ログイン情報を販売した販売日を前記コンテンツサーバに送信し、前記コンテンツサーバは、前記販売手段から前記通信回線を介して受信した前記販売日を基に有効期間の間、前記有料情報サービスを前記携帯端末に配信することを特徴とする。
【手続補正５】
【補正対象書類名】明細書
【補正対象項目名】００１５
【補正方法】変更
【補正の内容】
【００１５】
本発明の請求項６に係るコンテンツ料金の課金システムは、上記請求項５において、前記販売手段と前記コンテンツサーバとは通信回線を介して接続され、前記販売手段は、前記認証情報を生成する認証情報生成手段と、当該認証情報を前記コンテンツサーバに送信する送信手段とを備え、前記コンテンツサーバは、前記通信回線によって前記販売手段から受信した前記認証情報を記憶する記憶手段を備え、前記認証手段は、前記携帯端末から受信した前記認証情報と、前記記憶手段に記憶されている認証情報とが同じものであるとき、前記携帯端末から受信した前記認証情報が前記販売手段によって販売されたものであることを認証することを特徴とする。
【手続補正６】
【補正対象書類名】明細書
【補正対象項目名】００１６
【補正方法】変更
【補正の内容】
【００１６】
本発明の請求項７に係るコンテンツ料金の課金システムは、上記請求項５において、前記販売手段と前記コンテンツサーバとは通信回線を介して接続され、前記コンテンツサーバは、前記認証情報を生成する認証情報生成手段と、当該認証情報を前記販売手段に送信する送信手段とを備え、前記認証手段は、前記コンテンツサーバが前記通信回線を介して前記販売手段に送信した前記認証情報と、前記携帯端末から受信した前記認証情報とが同じものであるとき、前記携帯端末から受信した前記認証情報が前記販売手段によって販売されたものであることを認証することを特徴とする。
【手続補正７】
【補正対象書類名】明細書
【補正対象項目名】００１７
【補正方法】変更
【補正の内容】
【００１７】
本発明の請求項８に係るコンテンツ料金の課金システムは、携帯端末に通信網とネットワークを介してコンテンツサーバが配信する有料情報サービスに課金するコンテンツ料金の課金システムであって、前記携帯端末により前記コンテンツサーバにアクセスするためのサーバアクセス情報と、前記有料情報サービスを配信する地域を示す配信地域情報および販売日を前記携帯端末から送信することにより当該携帯端末が前記コンテンツサーバから前記有料情報サービスを受けるための認証情報に含む複合認証情報とからなるログイン情報を、代金と引き換えに販売する販売手段を備えていることを特徴とするコンテンツ料金の課金システムを提供する。
【手続補正８】
【補正対象書類名】明細書
【補正対象項目名】００２２
【補正方法】変更
【補正の内容】
【００２２】
本発明の請求項１３に係るコンテンツ料金の課金システムは、上記請求項１２において、前記販売手段は、前記認証情報を生成する認証情報生成手段を備え、前記コンテンツサーバは、前記販売手段と同じ認証情報生成手段を備え、前記携帯端末から受信した前記認証情報が前記認証情報生成手段によって生成されているとき、前記確認情報は、前記携帯端末から受信した前記認証情報が前記販売手段によって販売されたものであることを認証することを特徴とする。